(57)【要約】【課題】  ユーザーの契約内容に応じた帯域の割り当てを行うことができる無線配信サービスを提供する。【解決手段】  ステップＳ１０１でＳＴＡが新規に接続され、ステップＳ１０２で、ＡＰは、帯域要求を行ってきた前記ＳＴＡの使用ユーザーの契約内容をサーバーに問い合わせる。ステップＳ１０３で、前記要求帯域と契約内容とを比較し、ユーザーが契約内容に応じた帯域を要求しているか否かを確認する。ステップＳ１０３で、比較結果が「ＮＯ」（要求帯域が契約内容の範囲外）であれば、ステップＳ１０４に分岐し、ステップＳ１０４で契約内容に応じた帯域に変更した後でステップＳ１０５に進む。ステップＳ１０３で、比較結果が「ＹＥＳ」（要求帯域が契約内容の範囲内）であれば、ステップＳ１０５に進み、ステップＳ１０５で、新規に接続されたＳＴＡに対して帯域の割り当てを行う。【選択図】  図８
2005252988.tif 000002
【特許請求の範囲】
【請求項１】
ユーザーに関する顧客情報を管理するサーバーと、
前記サーバーに接続された無線通信機能を有するサーバー端末とを備え、
無線通信機能を有するユーザー端末を前記サーバー端末に無線接続することで、前記ユーザー端末を使用するユーザーに対して無線配信サービスが提供されるようにした無線配信適応サービス提供システムであって、
前記ユーザー端末に対する帯域の割り当ては、前記サーバー端末が前記サーバーに対して問い合わせる前記顧客情報に基づいて行われるように構成したことを特徴とする無線配信適応サービス提供システム。
【請求項２】
請求項１に記載された無線配信適応サービス提供システムを用いた無線配信適応サービス提供方法であって、
前記ユーザー端末に対する帯域の変更手続きは、前記サーバー及び前記サーバー端末でのみ行い、
前記サーバー端末は、無線接続された前記ユーザー端末の台数の増加又は減少に応じて、前記顧客情報に基づいた帯域の再割り当てを行うことを特徴とする無線配信適応サービス提供方法。
【請求項３】
請求項２に記載された無線配信適応サービス提供方法において、
新たに無線接続された前記ユーザー端末に割り当てる帯域を確保できない場合には、既に無線接続しているユーザー端末のうち前記顧客情報に基づく契約内容の低いユーザー端末を切断し、前記帯域を拡張することを特徴とする無線配信適応サービス提供方法。
【請求項４】
請求項２に記載された無線配信適応サービス提供方法において、
新たに無線接続された前記ユーザー端末に割り当てる帯域を確保できない場合には、既に無線接続しているユーザー端末のうち前記顧客情報に基づく契約内容の低いユーザー端末に対して０Ｍｂｐｓの帯域を割り当て、前記帯域を拡張することを特徴とする無線配信適応サービス提供方法。
【請求項５】
請求項２乃至４のうち何れか１項に記載された無線配信適応サービス提供方法において、
前記ユーザーが契約内容以上の帯域を要求してきた場合には、前記ユーザー端末に対する帯域の割り当てを前記顧客情報に基づいて行うことを特徴とする無線配信適応サービス提供方法。
【請求項６】
請求項２乃至４のうち何れか１項に記載された無線配信適応サービス提供方法において、
前記ユーザー端末に対する帯域の割り当てを、前記ユーザーにあらかじめ配布されている鍵の情報に基づいて行うことを特徴とする無線配信適応サービス提供方法。
【請求項７】
請求項６に記載された無線配信適応サービス提供方法において、
前記鍵を持たないユーザーに対しては、ベストエフォート型の無線配信サービスを提供することを特徴とする無線配信適応サービス提供方法。
【発明の詳細な説明】
【技術分野】
【０００１】
本発明は、無線配信適応サービス提供システム及びそれを用いた提供方法に関し、特に無線機能を使用したホットスポットサービスや、無線機能を搭載したＡＶ機器による映像配信を行うために使用する帯域制御技術に関する。
【背景技術】
【０００２】
従来の無線接続サービスは、リソースマネージャーがシステムによってサポートすることのできないセッションの許可を禁じる許可制御手続きを提供することで、許可されたセッションをサポートするのに必要なネットワークリソースを割り当てている。また、ポーリングマネージャが端末に割り当てられた帯域をポーリングの頻度を変えることで調整を行っている（特許文献１参照）。
【０００３】
また、ユーザーが配信サービスにおいてディジタルコンテンツを購入する際には、高品質転送を行う転送条件でディジタルコンテンツ配信を行う販売者に送信することでサービスを受けている（特許文献２参照）。
【０００４】
また、予めユーザーが使用する帯域を予約する手続きでは、ユーザーが使用する無線端末を介して、ユーザー側から使用する帯域を指定し、サービスを提供する有線ネットワークに接続された端末のリソースマネージャーが利用可能な帯域とユーザーが要求してきた帯域とを比較し、帯域の割り当てを行っている。
【０００５】
図１は、ホットスポットなどの公共サービスにおいてユーザー端末が映像配信サービスを受ける場合や、無線による映像転送機能を組み込まれたＡＶ機器などによって無線接続を行う場合の接続サービスを示し、図２は無線のリンク状態を示している。無線接続サービスを行うためにユーザーが使用する端末（以下、ＳＴＡという）１〜１０は、無線接続サービスを提供する端末（以下、ＡＰという）に接続を行っている。前記ＡＰとＳＴＡ１〜１０とは無線により接続されており、前記ＡＰはユーザーの顧客情報を管理するサーバーに有線接続されている。
【０００６】
図３は、ＳＴＡがＡＰと接続を行うためのシーケンスを示している。ＳＴ１は、ＳＴＡが接続すべきＡＰを検出するために前記ＡＰが送出するビーコンフレームを取得する無線リンク情報取得要求である。
【０００７】
ＳＴ２は、前記ＡＰが送出するビーコンを取得して前記ＳＴＡが接続すべきＡＰを特定するための無線リンク情報取得である。
【０００８】
ＳＴ３は、前記ＳＴＡがＡＰに対して前記ＡＰと無線リンクを構成するための要求を行う無線リンク接続要求である。ＡＰがＳＴＡと無線リンクの構成を行うことを許可する場合は、ＳＴ４の無線リンク接続応答によってその旨をＳＴＡに通知する。また、無線リンクの構成を行うことを許可しない場合も同様に、ＳＴ４の無線リンク接続応答によってその旨をＳＴＡに通知する。
【０００９】
ＳＴ５は、ＳＴＡを利用するユーザーが、ユーザーＩＤ、パスワードなどを入力するためのユーザー情報入力であり、これにより、ＳＴ６でＡＰがサーバーに対してユーザー確認を行い、前記サーバーはＳＴ７のユーザー情報を通じて、顧客情報の契約内容をＡＰに対して通知する。そして、前記顧客情報に基づいて、前記ＳＴＡを利用するユーザーが正式に契約したユーザーであると判別した場合、ＳＴ８の使用許諾通知を通じて前記ＳＴＡに対して使用の許可を与える。
【００１０】
前記使用を許諾されたＳＴＡは、次に使用する帯域の取得を行うために、前記ＡＰに対してＳＴ９の帯域取得要求を行う。
【００１１】
前記ＡＰは、ＳＴＡからＳＴ９の通知を受け取り、ＳＴ１０の帯域取得応答を通じてＡＰが管理する帯域からＳＴＡに対して帯域割り当てを行う。
【特許文献１】特表２００１-５１６１７３号公報
【特許文献２】特開２００１-１７５７５７号公報
【発明の開示】
【発明が解決しようとする課題】
【００１２】
しかしながら、上記特許文献１に係る無線接続サービスでは、ポーリングの頻度によってユーザーが使用できる帯域を管理しているために、ユーザーが例えばコンテンツデータのようにデータの途切れが起こってはならないようなデータの転送を行う場合には、データ転送における時間的な保証がないことから、データを途切れなく送ることができるというような保証を行うことはできなかった。
【００１３】
また、上記特許文献２に係る無線接続サービスでは、ユーザーが無線端末を利用してコンテンツを購入するときにのみユーザーが使用できる帯域が拡張され使用できるが、同じ帯域で常時サービスを受けることはできないという問題があった。
【００１４】
さらに、上述したような、予めユーザーが使用する帯域を予約する手続きでは、ユーザーが契約している内容以上の帯域の要求を行っても、リソースマネージャーが管理している帯域が十分に残っていれば帯域の割り当てを認めてしまい、後で接続を行ってきた端末に対して、帯域の割り当てを行うことができなくなるという問題があった。
【００１５】
具体的には、無線接続サービスを行うためにユーザーが使用する端末（ＳＴＡ）１〜１０が、無線接続サービスを提供する端末（ＡＰ）に接続され、前記ＡＰがＳＴＡの要求してきた帯域を割り当てるためにＳＴＡ１から順番に接続した場合、図４に示すような帯域の割り当てが行われる。ここで、図５に示すように、ＳＴＡ１〜ＳＴＡ７のユーザーがスタンダードを、またＳＴＡ８〜ＳＴＡ１０のユーザーがプレミアムでそれぞれ契約していた場合、スタンダードよりもプレミアムの方が契約内容として高価であるにもかかわらず、接続順序が後のプレミアム契約ユーザーはＡＰに接続されず、優先的に利用できない状況が発生していた。
【００１６】
また、図２において、ＡＰがＳＴＡに対して帯域の変更を行う場合は、図３におけるＳＴ８（使用通知）、ＳＴ９（帯域取得要求）の手続きを行う必要があり、ＡＰが任意に帯域の変更を行うことができないという問題があった。
【００１７】
また、ＡＰがＳＴＡに対して帯域の割り当てを行う場合は、ＳＴＡ１〜ＳＴＡ１０の要求してきた帯域をそのまま割り当てていたため、契約内容の低いユーザーであっても契約内容以上の帯域を獲得できるという問題があった。そして、ユーザー情報に基づく帯域の割り当てを行う場合は、図３におけるＳＴ６（ユーザー確認）、ＳＴ７（ユーザー情報）の手続きを行う必要があった。
【００１８】
さらに、ユーザーが契約を行っていない場合は、無線配信サービスを受けることができないという課題があった。
【００１９】
以上のように、従来の無線接続サービスでは、ユーザーが使用する帯域がユーザーの契約した内容に応じた帯域として割り当てられ、状況に応じて帯域の再割り当てを行うことはできないという問題があった。
【００２０】
本発明は、かかる点に鑑みてなされたものであり、その目的とするところは、ユーザーの契約内容に応じた帯域の割り当てを行うことにある。
【課題を解決するための手段】
【００２１】
すなわち、請求項１の発明は、ユーザーに関する顧客情報を管理するサーバーと、
前記サーバーに接続された無線通信機能を有するサーバー端末とを備え、
無線通信機能を有するユーザー端末を前記サーバー端末に無線接続することで、前記ユーザー端末を使用するユーザーに対して無線配信サービスが提供されるようにした無線配信適応サービス提供システムであって、
前記ユーザー端末に対する帯域の割り当ては、前記サーバー端末が前記サーバーに対して問い合わせる前記顧客情報に基づいて行われるように構成したことを特徴とする。
【００２２】
請求項２の発明は、請求項１に記載された無線配信適応サービス提供システムを用いた無線配信適応サービス提供方法であって、
前記ユーザー端末に対する帯域の変更手続きは、前記サーバー及び前記サーバー端末でのみ行い、
前記サーバー端末は、無線接続された前記ユーザー端末の台数の増加又は減少に応じて、前記顧客情報に基づいた帯域の再割り当てを行うことを特徴とする。
【００２３】
請求項３の発明は、請求項２に記載された無線配信適応サービス提供方法において、
新たに無線接続された前記ユーザー端末に割り当てる帯域を確保できない場合には、既に無線接続しているユーザー端末のうち前記顧客情報に基づく契約内容の低いユーザー端末を切断し、前記帯域を拡張することを特徴とする。
【００２４】
請求項４の発明は、請求項２に記載された無線配信適応サービス提供方法において、
新たに無線接続された前記ユーザー端末に割り当てる帯域を確保できない場合には、既に無線接続しているユーザー端末のうち前記顧客情報に基づく契約内容の低いユーザー端末に対して０Ｍｂｐｓの帯域を割り当て、前記帯域を拡張することを特徴とする。
【００２５】
請求項５の発明は、請求項２乃至４のうち何れか１項に記載された無線配信適応サービス提供方法において、
前記ユーザーが契約内容以上の帯域を要求してきた場合には、前記ユーザー端末に対する帯域の割り当てを前記顧客情報に基づいて行うことを特徴とする。
【００２６】
請求項６の発明は、請求項２乃至４のうち何れか１項に記載された無線配信適応サービス提供方法において、
前記ユーザー端末に対する帯域の割り当てを、前記ユーザーにあらかじめ配布されている鍵の情報に基づいて行うことを特徴とする。
【００２７】
請求項７の発明は、請求項６に記載された無線配信適応サービス提供方法において、
前記鍵を持たないユーザーに対しては、ベストエフォート型の無線配信サービスを提供することを特徴とする。
【発明の効果】
【００２８】
請求項１に係る発明によれば、ユーザーの契約内容によって割り当てる帯域を適応させるために、ユーザーの顧客情報を管理するサーバーをサーバー端末（ＡＰ）に接続することにより、ＡＰはユーザー端末（ＳＴＡ）が接続されたときにサーバーから顧客情報を取得して契約内容に適した帯域の割り当てを提供することができる。
【００２９】
請求項２に係る発明によれば、ＡＰが接続されたＳＴＡに対する帯域情報をサーバーから確認することができるから、帯域変更時にＳＴＡから帯域変更の手続きを行うことなく帯域の変更が可能となる。
【００３０】
請求項３に係る発明によれば、帯域の変更時に十分な帯域が残っていない場合でも、ＡＰがユーザーの契約内容を確認して優先度の低い契約を行っているユーザーのＳＴＡを切断することにより、帯域の確保を行うことができる。
【００３１】
請求項４に係る発明によれば、帯域の変更時に十分な帯域が残っていない場合でも、契約内容の低いユーザーのＳＴＡに対して０Ｍｂｐｓの帯域を割り当てることにより、帯域の確保を行うことができる。
【００３２】
請求項５に係る発明によれば、ユーザーが使用するＳＴＡが契約内容以上の帯域を要求してきた場合でも、ＡＰがサーバーの顧客情報の契約内容に応じた帯域の割り当てを行うことで、契約内容以上の帯域を割り当てることを防止することができる。
【００３３】
請求項６に係る発明によれば、ユーザーの識別に鍵を使用し、鍵に帯域の割り当てを行う情報を付与することで、ＡＰがサーバーにユーザーの契約内容を問い合わせることなく帯域の割り当てを行うことができ、帯域割り当て時の応答性が改善される。
【００３４】
請求項７に係る発明によれば、契約を行っていないために鍵を持たないユーザーが接続を行ってきた場合でも、ベストエフォート型の無線配信サービスを提供することにより、契約を行っているユーザーに対して差別化を図れるとともに、契約を行っていないユーザーに対してもサービスを提供することが可能となる。
【発明を実施するための最良の形態】
【００３５】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３６】
＜実施形態１＞
本実施形態１における無線配信サービスを提供するためのシステムは、基本的に、上述した従来例と略同じであるため、以下の説明では、従来例と同じ部分については同じ符号を付し、相違点についてのみ説明する。これは、以下の実施形態２及び３についても同様である。
【００３７】
図１に示すサーバーは、顧客情報として図６に示すような情報を管理しており、その内容は、管理を行うためのユーザー毎の顧客管理番号、ユーザーが無線接続サービスを提供するために契約している契約内容、無線接続サービスを受けるために無線接続時に必要となる鍵情報、ユーザーを識別するユーザーＩＤ、ユーザー本人かどうか認証するためのパスワード、ユーザーが過去にどの程度無線配信サービスを利用したかを示した使用履歴などである。
【００３８】
図７はＳＴＡがＡＰと接続を行うためのシーケンスを示している。まず、図３の従来例で説明した場合と同様にＳＴ１〜ＳＴ９までの手続きを行う。そして、ＡＰがＳＴＡからＳＴ９の通知を受け取ったときに、ＡＰが管理する帯域からＳＴＡに対して帯域の割り当てを行う。このとき、ユーザーからの要求帯域とユーザーの契約内容との比較を行う。そして、それぞれの帯域に相違がある場合は、ユーザーからの要求帯域の変更を行う。
【００３９】
このように、ＳＴ１０の帯域取得応答を通じてＳＴＡに対して通知を行うことで、ＳＴＡは使用する帯域を保証され、データ配信などのサービスを受けることができる状態となる。
【００４０】
次に、図８に、ユーザーからの帯域要求に対する、契約内容の比較と帯域の割り当てのＡＰでのシーケンスを示す。ステップＳ１０１でＳＴＡが新規に接続され、ステップＳ１０２で、ＡＰは、帯域要求を行ってきた前記ＳＴＡの使用ユーザーの契約内容をサーバーに問い合わせる。
【００４１】
ステップＳ１０３で、前記要求帯域と契約内容とを比較し、ユーザーが契約内容に応じた帯域を要求しているか否かを確認する。
【００４２】
ステップＳ１０３で、比較結果が「ＮＯ」（要求帯域が契約内容の範囲外）であれば、ステップＳ１０４に分岐し、ステップＳ１０４で契約内容に応じた帯域に変更した後でステップＳ１０５に進む。
【００４３】
ステップＳ１０３で、比較結果が「ＹＥＳ」（要求帯域が契約内容の範囲内）であれば、ステップＳ１０５に進み、ステップＳ１０５で、新規に接続されたＳＴＡに対して帯域の割り当てを行う。
【００４４】
以上のような処理を行うことによって、図９に示すように契約内容に応じた帯域の割り当てを行うことが可能となる。
【００４５】
図１０は、帯域が十分に残されていない状態で新規にＳＴＡ４が接続してきた場合の無線リンク状態を示している。ここで、新たに接続してきたＳＴＡ４は、既に接続しているＳＴＡ３よりも高い契約内容である。そのため、ＳＴＡ４が契約している帯域を使用できるようにするためにＳＴＡ３を切断して帯域を拡張する。
【００４６】
図１１に、帯域の拡張を行うための手続きを示す。ＳＴＡ３よりも契約内容が高いＳＴＡ４が新たに接続してきた場合、図３の従来例で説明した場合と同様に、ＳＴＡ４はＳＴ１〜ＳＴ９までの手続きを行う。そして、ＳＴ９でＳＴＡ４が帯域の取得要求を行ってきたときに、ＡＰではＳＴＡ４に割り当てるべき帯域が十分に残されていないことから、既に接続されているＳＴＡ１〜ＳＴＡ３とＳＴＡ４との契約内容の比較を行う。本実施形態では、ＳＴＡ３がＳＴＡ４よりも契約内容が低いため、ＳＴ１１で、ＡＰがＳＴＡ３に対して切断要求を発効し、ＳＴＡ３の無線リンクを切断することによって帯域の確保を行うとともに、ＳＴ１０の帯域取得応答を通じてＳＴＡ４に対して帯域の割り当てを行う。
【００４７】
次に、図１２に、新規に接続してきた端末に対して、帯域を確保するために契約内容の低い端末を切断する際のＡＰでのシーケンスを示す。まず、ステップＳ２０１でＳＴＡが新規に接続され、ステップＳ２０２で、ＡＰが管理する帯域が十分に残されているか否かを判定する。
【００４８】
ステップＳ２０２での判定が「ＹＥＳ」の場合、ステップＳ２０６に分岐する。ステップＳ２０２での判定が「ＮＯ」の場合、ステップＳ２０３に分岐する。
【００４９】
ステップＳ２０３で、ＡＰは、新規のＳＴＡの使用ユーザーの契約内容をサーバーに問い合わせる。
【００５０】
ステップＳ２０４で、前記新規のＳＴＡの使用ユーザーの契約内容と、既に接続しているＳＴＡの使用ユーザーの契約内容とを比較して、既に接続しているＳＴＡユーザーの中に新規のＳＴＡユーザーよりも契約内容の低いＳＴＡがあるかを判定する。
【００５１】
ステップＳ２０４での判定が「ＹＥＳ」の場合、ステップＳ２０５に進み、ＡＰは前記契約内容の低いＳＴＡに対して切断要求を発効し、無線リンクの切断を行う。
【００５２】
ステップＳ２０４での判定が「ＮＯ」の場合、新規のＳＴＡの使用ユーザーに対する帯域の割り当ては行われない。
【００５３】
そして、前記契約内容の低いＳＴＡを切断することによって確保された帯域を、ステップＳ２０６で、前記新規に接続してきたＳＴＡに対して割り当てる。
【００５４】
＜実施形態２＞
図１３は、本発明の実施形態２を示し、帯域が十分に残されていない状態で新規にＳＴＡ４が接続してきた場合の無線リンク状態の実施形態を示している。ここで、新たに追加してきたＳＴＡ４は、既に接続しているＳＴＡ３よりも高い契約内容である。そのため、ＳＴＡ４が契約している帯域を使用できるようにするためにＳＴＡ３に対して０Ｍｂｐｓの帯域を割り当てることで帯域を拡張する。
【００５５】
図１４に、帯域の拡張を行うための手続きを示す。ＳＴＡ３よりも契約内容が高いＳＴＡ４が新たに接続してきた場合、図３の従来例で説明した場合と同様に、ＳＴＡ４はＳＴ１〜ＳＴ９までの手続きを行う。そして、ＳＴ９でＳＴＡ４が帯域の取得要求を行ってきたときに、ＡＰではＳＴＡ４に割り当てるべき帯域が十分に残されていないことから、既に接続されているＳＴＡ１〜ＳＴＡ３とＳＴＡ４との契約内容の比較を行う。本実施形態では、ＳＴＡ３がＳＴＡ４よりも契約内容が低いため、ＳＴ１２で、ＡＰがＳＴＡ３に対して０Ｍｂｐｓの帯域割り当てを発効し、ＳＴＡ３の使用可能な帯域を０Ｍｂｐｓにすることによって帯域の確保を行うとともに、ＳＴ１０の帯域取得応答を通じてＳＴＡ４に対して帯域の割り当てを行う。
【００５６】
次に、図１５に、新規に接続してきた端末に対して、帯域を確保するために契約内容の低い端末を切断する際のＡＰでのシーケンスを示す。まず、ステップＳ３０１でＳＴＡが新規に接続され、ステップＳ３０２で、ＡＰが管理する帯域が十分に残されているか否かを判定する。
【００５７】
ステップＳ３０２での判定が「ＹＥＳ」の場合、ステップＳ３０６に分岐する。ステップＳ３０２での判定が「ＮＯ」の場合、ステップＳ３０３に分岐する。
【００５８】
ステップＳ３０３で、ＡＰは、新規のＳＴＡの使用ユーザーの契約内容をサーバーに問い合わせる。
【００５９】
ステップＳ３０４で、前記新規のＳＴＡの使用ユーザーの契約内容と、既に接続しているＳＴＡの使用ユーザーの契約内容とを比較して、既に接続しているＳＴＡユーザーの中に新規のＳＴＡユーザーよりも契約内容の低いＳＴＡがあるかを判定する。
【００６０】
ステップＳ３０４での判定が「ＹＥＳ」の場合、ステップＳ３０５に進み、ＡＰは前記契約内容の低いＳＴＡに対して０Ｍｂｐｓ帯域の割り当てを行う。
【００６１】
ステップＳ３０４での判定が「ＮＯ」の場合、新規のＳＴＡの使用ユーザーに対する帯域の割り当ては行われない。
【００６２】
そして、前記契約内容の低いＳＴＡに対して０Ｍｂｐｓの帯域を割り当てたことにより確保された帯域を、ステップＳ３０６で、前記新規に接続されたＳＴＡに対して割り当てる。
【００６３】
＜実施形態３＞
図１６は、実施形態３において、キーを使用したＳＴＡの帯域の割り当てを行う場合の無線リンク状態を示した図である。図１７は、キーを使用した帯域の割り当てを示したシーケンス図である。まず、ＳＴＡはＡＰに接続するために、図３の従来例で説明した場合と同様にＳＴ１〜ＳＴ４までの手続きを行う。従来例では、ＳＴ５においてユーザー情報の入力を行うことでユーザー情報を確認し、ＳＴ６の使用通知をＳＴＡに対して返していたが、本実施形態ではＳＴＡからＡＰに対してＳＴ１５においてキーを入力し、ＡＰがキーを解読することで、契約を結んだユーザーに対して発効されているキーの識別を行う。これにより、ユーザー情報を確認することなく、ＳＴ８の使用通知、ＳＴ１０の帯域取得応答を発効することができ、応答性が改善される。
【００６４】
次に、図１８に、キー入力によるユーザー識別のＡＰでのフローを示す。ステップＳ４０１でＳＴＡが新規に接続され、ステップＳ４０２でＡＰがキー情報を識別し、ステップＳ４０３でキー情報に基づいて前記新規に接続されたＳＴＡに対して帯域を割り当てる。
【００６５】
以上のような処理をすることにより、ＡＰがサーバーにユーザーの契約内容を問い合わせることなく帯域の割り当てを行うことができ、帯域割り当て時の応答性が改善される。
【００６６】
続いて、キーの割り当てを受けていないユーザーが無線配信サービスを使用する場合のシーケンスについて説明する。図１９は、キーを使用した帯域割り当てを示すシーケンス図である。まず、ＳＴＡはＡＰに接続するために、図１７で説明した場合と同様にＳＴ１〜ＳＴ４までの手続きを行う。次に、ＳＴ１６でＳＴＡからＡＰに対してＮＵＬＬのキーの入力を行う。そして、ＡＰがキーを解読して、このキーがＮＵＬＬと識別できればＳＴ８の使用通知のみを行い、ベストエフォート型の無線接続を提供する。
【００６７】
次に、図２０に、ＮＵＬＬキー入力によるユーザー識別のＡＰでのフローを示す。ステップＳ５０１でＳＴＡが新規に接続され、ステップＳ５０２で、ＡＰが前記新規に接続されたＳＴＡがキー情報を持っているか否かを判定する。
【００６８】
ステップＳ５０２での判定が「ＹＥＳ」の場合、ステップＳ５０３に分岐し、ステップＳ５０３でキー情報に基づいて前記新規に接続されたＳＴＡに対して帯域を割り当てる。
【００６９】
ステップＳ５０２での判定が「ＮＯ」の場合、キー情報はＮＵＬＬが入力されていると判断してステップＳ５０４に分岐し、ステップＳ５０４で前記新規に接続されたＳＴＡに対してベストエフォート型の接続を提供する。
【００７０】
以上のような処理を行うことにより、契約を行っていないために鍵を持たないユーザーが接続を行ってきた場合でも、ベストエフォート型の無線配信サービスを提供することで、契約を行っていないユーザーに対してもサービスを提供することが可能となる。
【産業上の利用可能性】
【００７１】
本発明は、無線配信適応サービス提供システム及び提供方法に関し、契約内容に応じた帯域の割り当てを可能とするものであり、無線ホットスポットサービスに有用であり、また、ディジタルコンテンツを配信するサービスに利用可能である。
【図面の簡単な説明】
【００７２】
【図１】無線接続サービスシステムを示す図である。
【図２】無線リンク状態を示す図である。
【図３】無線接続サービスを行うためのシーケンスを示す図である。
【図４】契約内容を反映しない場合の帯域割り当てを示す図である。
【図５】ユーザーごとの契約内容を示す図である。
【図６】顧客管理情報を示す図である。
【図７】契約内容に適した帯域割り当てを行うシーケンスを示す図である。
【図８】契約内容に適した帯域割り当てを行うＡＰの内部処理フローを示す図である。
【図９】契約内容を反映した場合の帯域割り当てを示す図である。
【図１０】新規端末が接続した場合の無線リンクを示す図である。
【図１１】新規端末が接続した場合の契約内容の低い端末を切断するシーケンスを示す図である。
【図１２】新規端末が接続した場合の契約内容の低い端末を切断する場合のＡＰ内部処理フローを示す図である。
【図１３】新規端末が接続した場合の無線リンクを示す図である。
【図１４】新規端末が接続した場合の契約内容の低い端末に０Ｍｂｐｓの帯域を割り当てるシーケンスを示す図である。
【図１５】新規端末が接続した場合の契約内容の低い端末に０Ｍｂｐｓの帯域を割り当てる場合のＡＰ内部処理フローを示す図である。
【図１６】キーを使用した新規端末が接続した場合の無線リンクを示す図である。
【図１７】キー入力による無線リンクサービスを提供するシーケンスを示す図である。
【図１８】キー入力による無線リンクサービスを提供するＡＰの内部処理フローを示す図である。
【図１９】ＮＵＬＬキー入力による無線リンクサービスを提供するシーケンスを示す図である。
【図２０】ＮＵＬＬキー入力による無線リンクサービスを提供するＡＰの内部処理フローを示す図である。
【符号の説明】
【００７３】
ＳＴ１      無線リンク情報取得要求
ＳＴ２      無線リンク情報取得
ＳＴ３      無線リンク接続要求
ＳＴ４      無線リンク接続応答
ＳＴ５      ユーザー情報入力
ＳＴ６      ユーザー確認
ＳＴ７      ユーザー情報
ＳＴ８      使用通知
ＳＴ９      帯域取得要求
ＳＴ１０    帯域取得応答
ＳＴ１１    切断要求
ＳＴ１２    ０Ｍｂｐｓ割り当て
ＳＴ１５    キー入力
ＳＴ１６    キー入力（ＮＵＬＬキー）
【図１】
2005252988.tif 000003
【図２】
2005252988.tif 000004
【図３】
2005252988.tif 000005
【図４】
2005252988.tif 000006
【図５】
2005252988.tif 000007
【図６】
2005252988.tif 000008
【図７】
2005252988.tif 000009
【図８】
2005252988.tif 000010
【図９】
2005252988.tif 000011
【図１０】
2005252988.tif 000012
【図１１】
2005252988.tif 000013
【図１２】
2005252988.tif 000014
【図１３】
2005252988.tif 000015
【図１４】
2005252988.tif 000016
【図１５】
2005252988.tif 000017
【図１６】
2005252988.tif 000018
【図１７】
2005252988.tif 000019
【図１８】
2005252988.tif 000020
【図１９】
2005252988.tif 000021
【図２０】
2005252988.tif 000022